(57)【要約】【課題】元止め式浄水器としての利点を損なうことなく、残留水の吐出を軽減または阻止することが可能な元止め式浄水器用水栓を提供する。【解決手段】水栓Ｆ１は、両端が原水配管Ｐ１に接続される原水流路２１と、一端が浄水配管Ｐ２に接続され他端に吐水口が設けられた浄水流路２２と、原水流路開閉弁３１と、浄水流路開閉弁３２とを備える。原水流路開閉弁３１と浄水流路開閉弁３２とは、兼用の開閉操作部材３０２を有し、該部材３０２を閉操作すると、先に原水流路開閉弁３１が原水流路２１を閉じ、それに伴って生じる残留水圧の過剰分を逃がし得るだけの時間をおいてから、浄水流路開閉弁３２が浄水流路２２を閉じるように構成されている。【選択図】　図１
2004076557.tif 000002
【特許請求の範囲】
【請求項１】
浄水器へ向かう原水配管の中間に介在するように両端が原水配管に接続される原水流路と、浄水器からのびる浄水配管の末端に位置するように一端が浄水配管に接続されかつ他端に吐水口が設けられた浄水流路と、原水流路を開閉する原水流路開閉弁と、浄水流路を開閉する浄水流路開閉弁とを備え、原水流路開閉弁と浄水流路開閉弁とは、兼用の開閉操作部材を有しているとともに、該開閉操作部材を閉操作すると、先に原水流路開閉弁が原水流路を閉じ、それに伴って生じる残留水圧の過剰分を逃がし得るだけの時間をおいてから、浄水流路開閉弁が浄水流路を閉じるように構成されている、元止め式浄水器用水栓。
【請求項２】
浄水器へ向かう原水配管の中間に介在するように両端が原水配管に接続される原水流路と、浄水器からのびる浄水配管の末端に位置するように一端が浄水配管に接続されかつ他端に吐水口が設けられた浄水流路と、原水流路を開閉する原水流路開閉弁と、浄水流路を開閉する浄水流路開閉弁とを備え、原水流路開閉弁と浄水流路開閉弁とは、兼用の開閉操作部材を有しているとともに、該開閉操作部材を閉操作すると、原水流路開閉弁が原水流路を閉じるのとほぼ同時に浄水流路開閉弁が浄水流路を閉じるように構成されており、浄水流路開閉弁には、原水流路および浄水流路の閉鎖に伴って生じる残留水圧の過剰分を二次側へ逃がす圧力逃がし機構が設けられている、元止め式浄水器用水栓。
【請求項３】
浄水器へ向かう原水配管の中間に介在するように両端が原水配管に接続される原水流路と、浄水器からのびる浄水配管の末端に位置するように一端が浄水配管に接続されかつ他端に吐水口が設けられた浄水流路と、原水流路を開閉する原水流路開閉弁と、浄水流路を開閉する浄水流路開閉弁とを備え、原水流路開閉弁と浄水流路開閉弁とは、兼用の開閉操作部材を有しているとともに、該開閉操作部材を閉操作すると、原水流路開閉弁が原水流路を閉じるのと同時に浄水流路開閉弁が浄水流路を閉じるか若しくはいずれか一方の開閉弁が他方の開閉弁よりも先に流路を閉じるように構成されており、原水流路の二次側および浄水流路の一次側のうち少なくともいずれか一方には、原水流路および／または浄水流路の閉鎖に伴って生じる残留水圧を少なくとも過剰分だけ低下させる減圧弁が設けられている、元止め式浄水器用水栓。
【請求項４】
原水流路開閉弁および浄水流路開閉弁の弁体駆動軸が、歯車機構によって、先端に開閉操作部材が取り付けられた回動軸と連動させられるようになっている、請求項１〜３のいずれか１つに記載の元止め式浄水器用水栓。
【請求項５】
浄水器へ向かう原水配管の中間に介在するように両端が原水配管に接続される原水流路と、浄水器からのびる浄水配管の末端に位置するように一端が浄水配管に接続されかつ他端に吐水口が設けられた浄水流路と、開閉操作部材を操作することにより原水流路を開閉する原水流路開閉弁と、原水流路の閉鎖に伴って生じる残留水圧の過剰分を逃がしておいてから浄水流路を自動的に閉じる浄水流路遮断弁とを備えている、元止め式浄水器用水栓。
【請求項６】
浄水器へ向かう原水配管の中間に介在するように両端が原水配管に接続される原水流路と、浄水器からのびる浄水配管の末端に位置するように一端が浄水配管に接続されかつ他端に吐水口が設けられた浄水流路と、開閉操作部材を操作することにより原水流路を開閉する原水流路開閉弁と、原水流路の二次側と浄水流路とを連通させる連通部と、連通部に配されかつ原水流路の閉鎖に伴って生じる残留水圧の過剰分を浄水流路へ逃がす圧力逃がし弁とを備えている、元止め式浄水器用水栓。
【発明の詳細な説明】
【０００１】
【発明の属する技術分野】
本発明は、元止め式浄水器用水栓に関する。なお、この明細書において、「浄水器」には、浄水器の他、これと略同様の水処理構造を有する整水器、活水器等の水処理器が含まれるものとする。
【０００２】
【従来の技術】
浄水器としては、その二次側に水栓が配される先止め式と、その一次側に水栓が配される元止め式とがある。先止め式浄水器の場合、水栓で止水した状態でも、浄水器本体（浄水フィルタ等）や配管接続部に、配管からの水圧がかかる。一方、元止め式浄水器の場合、水栓で止水を行うと、浄水器本体や配管接続部には、配管からの水圧がかからない。
【０００３】
そのため、元止め式浄水器は、浄水器本体や配管接続部の耐圧性を高くする必要がないので、コストを抑えることができ、また、配管接続部として接続作業が簡単な構造のものを採用することができる。しかも、元止め式浄水器の場合、万一故障しても、漏水の量が少なくて済む。
【０００４】
元止め式浄水器用水栓としては、図２９に示すように、浄水器（Ｃ）へ向かう原水配管（Ｐ１）の中間に介在するように両端が原水配管（Ｐ１）に接続される原水流路（図示略）と、浄水器（Ｃ）からのびる浄水配管（Ｐ２）の末端に位置するように一端が浄水配管（Ｐ２）に接続されかつ他端に吐水口（Ｓ）が設けられた浄水流路（図示略）と、原水流路を開閉する原水流路開閉弁（Ｖ）とを備えたものが知られている。
【０００５】
図２９において、浄水器（Ｃ）は、流し台におけるシンクの下方に設置される、いわゆるアンダーシンク型浄水器であって、水栓（Ｆ）は、流し台の天板（Ｂ）に取り付けられている。水栓（Ｆ）には、例えばシンクの湯水混合栓に水を供給する給水管から分岐された給水枝管よりなる上流側原水配管（Ｐ１）が接続される。水栓（Ｆ）からは、浄水器（Ｃ）に向かって、下流側原水配管（Ｐ１）がのびている。浄水器（Ｃ）には、例えば中空糸膜や活性炭フィルタ等を備えた浄水器本体（図示略）が内蔵されており、この浄水器本体に原水を透過させることによって浄水が生成される。そして、浄水器（Ｃ）からのびる浄水配管（Ｐ２）が水栓（Ｆ）に接続される。下流側原水配管（Ｐ１）と浄水器（Ｃ）との接続、および浄水器（Ｃ）と浄水配管（Ｐ２）との接続には、プラグ（Ｑ１）およびソケット（Ｑ２）よりなるワンタッチ継手（Ｑ）がそれぞれ用いられる。水栓（Ｆ）は、水栓本体（Ｆ１０１）と、吐水管（Ｆ１０２）と、ハンドル（Ｆ１０３）とを備える。水栓本体（Ｆ）は、その下端部が天板（Ｂ）の貫通孔（図示略）に挿通された状態で、例えばナット（Ｎ）により天板（Ｂ）に固定される。
【０００６】
【発明が解決しようとする課題】
しかしながら、上述した元止め式浄水器用水栓（Ｆ）の場合、原水流路開閉弁（Ｖ）によって原水流路を閉じても、直ちに吐水が停止せず、原水流路開閉弁（Ｖ）の二次側に残った残留水が吐水口（Ｓ）からポタポタと落ち、このような少量の吐水が数分程度続くこともあった。そのため、使用者が故障と間違えたり、残留水が吐出する時のポタポタという音が気になるという問題があった。
【０００７】
本発明の目的は、元止め式浄水器としての利点を損なうことなく、残留水の吐出を軽減または阻止することが可能な元止め式浄水器用水栓を提供することにある。
【０００８】
【課題を解決するための手段および発明の効果】
本発明による第１の元止め式浄水器用水栓は、浄水器へ向かう原水配管の中間に介在するように両端が原水配管に接続される原水流路と、浄水器からのびる浄水配管の末端に位置するように一端が浄水配管に接続されかつ他端に吐水口が設けられた浄水流路と、原水流路を開閉する原水流路開閉弁と、浄水流路を開閉する浄水流路開閉弁とを備え、原水流路開閉弁と浄水流路開閉弁とは、兼用の開閉操作部材を有しているとともに、該開閉操作部材を閉操作すると、先に原水流路開閉弁が原水流路を閉じ、それに伴って生じる残留水圧の過剰分を逃がし得るだけの時間をおいてから、浄水流路開閉弁が浄水流路を閉じるように構成されているものである。
【０００９】
このように、原水流路開閉弁に加えて浄水流路開閉弁を設けるとともに、流路閉鎖時に後者の方が所要時間遅れて浄水流路を閉じるように構成すれば、止水時に原水流路開閉弁の二次側に生じる残留水圧によって浄水器本体や原水配管接続部が損傷を受ける恐れがなく、しかも、残留水の吐出は、その量・時間ともに、従来の元止め式浄水器用水栓と比べて、減少する。したがって、本発明による第１の元止め式浄水器用水栓によれば、浄水器本体等の耐圧性を高く設定する必要がない上に故障時の漏水によるトラブルが少ないといった元止め式浄水器の利点を損なうことなく、残留水の吐出を軽減することができる。また、上記水栓にあっては、原水流路開閉弁および浄水流路開閉弁が兼用の開閉操作部材を有しているので、原水流路および浄水流路を開閉するために個別の操作を必要とせず、この種の通常の水栓と同様のシンプルな操作性が得られる。
【００１０】
本発明による第２の元止め式浄水器用水栓は、浄水器へ向かう原水配管の中間に介在するように両端が原水配管に接続される原水流路と、浄水器からのびる浄水配管の末端に位置するように一端が浄水配管に接続されかつ他端に吐水口が設けられた浄水流路と、原水流路を開閉する原水流路開閉弁と、浄水流路を開閉する浄水流路開閉弁とを備え、原水流路開閉弁と浄水流路開閉弁とは、兼用の開閉操作部材を有しているとともに、該開閉操作部材を閉操作すると、原水流路開閉弁が原水流路を閉じるのとほぼ同時に浄水流路開閉弁が浄水流路を閉じるように構成されており、浄水流路開閉弁には、原水流路および浄水流路の閉鎖に伴って生じる残留水圧の過剰分を二次側へ逃がす圧力逃がし機構が設けられているものである。
【００１１】
このように、原水流路開閉弁に加えて浄水流路開閉弁を設けて、両者がほぼ同時に各流路を閉じるように構成するとともに、浄水流路開閉弁に圧力逃がし機構を設けておけば、止水時に原水流路開閉弁の二次側に生じる残留水圧によって浄水器本体や原水配管接続部が損傷を受ける恐れがなく、しかも、残留水の吐出は、その量・時間ともに、従来の元止め式浄水器用水栓と比べて、減少する。したがって、本発明による第２の元止め式浄水器用水栓によれば、浄水器本体等の耐圧性を高く設定する必要がない上に故障時の漏水によるトラブルが少ないといった元止め式浄水器の利点を損なうことなく、残留水の吐出を軽減することができる。また、上記水栓にあっては、原水流路開閉弁および浄水流路開閉弁が兼用の開閉操作部材を有しているので、原水流路および浄水流路を開閉するために個別の操作を必要とせず、この種の通常の水栓と同様のシンプルな操作性が得られる。
【００１２】
本発明による第３の元止め式浄水器用水栓は、浄水器へ向かう原水配管の中間に介在するように両端が原水配管に接続される原水流路と、浄水器からのびる浄水配管の末端に位置するように一端が浄水配管に接続されかつ他端に吐水口が設けられた浄水流路と、原水流路を開閉する原水流路開閉弁と、浄水流路を開閉する浄水流路開閉弁とを備え、原水流路開閉弁と浄水流路開閉弁とは、兼用の開閉操作部材を有しているとともに、該開閉操作部材を閉操作すると、原水流路開閉弁が原水流路を閉じるのと同時に浄水流路開閉弁が浄水流路を閉じるか若しくはいずれか一方の開閉弁が他方の開閉弁よりも先に流路を閉じるように構成されており、原水流路の二次側および浄水流路の一次側のうち少なくともいずれか一方には、原水流路および／または浄水流路の閉鎖に伴って生じる残留水圧を少なくとも過剰分だけ低下させる減圧弁が設けられているものである。
【００１３】
このように、原水流路開閉弁に加えて浄水流路開閉弁を設けるとともに、原水流路の二次側および／または浄水流路の一次側に減圧弁を設けておけば、止水時に原水流路開閉弁の二次側に生じる残留水圧によって浄水器本体や原水配管接続部が損傷を受ける恐れがなく、しかも、残留水の吐出をほぼ完全に阻止することができる。したがって、本発明による第３の元止め式浄水器用水栓によれば、浄水器本体等の耐圧性を高く設定する必要がない上に故障時の漏水によるトラブルが少ないといった元止め式浄水器の利点を損なうことなく、残留水の吐出を効果的に防止することができる。また、上記水栓にあっては、原水流路開閉弁および浄水流路開閉弁が兼用の開閉操作部材を有しているので、原水流路および浄水流路を開閉するために個別の操作を必要とせず、この種の通常の水栓と同様のシンプルな操作性が得られる。
【００１４】
本発明による第１〜第３の元止め式浄水器用水栓において、原水流路開閉弁および浄水流路開閉弁の弁体駆動軸が、歯車機構によって、先端に開閉操作部材が取り付けられた回動軸と連動させられるようになっている場合がある。
【００１５】
上記の場合、歯車機構によって、両開閉弁の弁体駆動軸が、回転操作部材付き回転軸と連動させられるので、両開閉弁による原水流路および浄水流路の開閉のタイミングの設定が容易であり、両流路の開閉の精度を高めることができる。
【００１６】
本発明による第４の元止め式浄水器用水栓は、浄水器へ向かう原水配管の中間に介在するように両端が原水配管に接続される原水流路と、浄水器からのびる浄水配管の末端に位置するように一端が浄水配管に接続されかつ他端に吐水口が設けられた浄水流路と、開閉操作部材を操作することにより原水流路を開閉する原水流路開閉弁と、原水流路の閉鎖に伴って生じる残留水圧の過剰分を逃がしておいてから浄水流路を自動的に閉じる浄水流路遮断弁とを備えているものである。
【００１７】
このように、原水流路開閉弁に加えて浄水流路遮断弁を設けておけば、止水時に原水流路開閉弁の二次側に生じる残留水圧によって浄水器本体や原水配管接続部が損傷を受ける恐れがなく、しかも、残留水の吐出は、その量・時間ともに、従来の元止め式浄水器用水栓と比べて、減少する。したがって、本発明による第４の元止め式浄水器用水栓によれば、浄水器本体等の耐圧性を高く設定する必要がない上に故障時の漏水によるトラブルが少ないといった元止め式浄水器の利点を損なうことなく、残留水の吐出を軽減することができる。また、上記水栓にあっては、原水流路開閉弁については、開閉操作部材を操作する必要があるものの、浄水流路遮断弁については、水圧の変化に伴って自動的に作動するように構成されているので、この種の通常の水栓と同様のシンプルな操作性が得られる。
【００１８】
本発明による第４の元止め式浄水器用水栓において、浄水流路遮断弁に、該弁が浄水流路を閉じる際の圧力を調整する作動圧力調整部が設けられているのが好ましい。これにより、水栓や浄水器の状態等に応じて、浄水流路遮断弁の作動圧力を容易に調整することができる。
【００１９】
本発明による第５の元止め式浄水器用水栓は、浄水器へ向かう原水配管の中間に介在するように両端が原水配管に接続される原水流路と、浄水器からのびる浄水配管の末端に位置するように一端が浄水配管に接続されかつ他端に吐水口が設けられた浄水流路と、開閉操作部材を操作することにより原水流路を開閉する原水流路開閉弁と、原水流路の二次側と浄水流路とを連通させる連通部と、連通部に配されかつ原水流路の閉鎖に伴って生じる残留水圧の過剰分を浄水流路へ逃がす圧力逃がし弁とを備えているものである。
【００２０】
このように、原水流路と浄水流路とを連通部によって連通させるとともに、連通部に圧力逃がし弁を設けておけば、止水時に原水流路開閉弁の二次側に生じる残留水圧によって浄水器本体や原水配管接続部が損傷を受ける恐れがなく、しかも、残留水の吐出は、その量・時間ともに、従来の元止め式浄水器用水栓と比べて、減少する。したがって、本発明による第５の元止め式浄水器用水栓によれば、浄水器本体等の耐圧性を高く設定する必要がない上に故障時の漏水によるトラブルが少ないといった元止め式浄水器の利点を損なうことなく、残留水の吐出を軽減することができる。また、上記水栓にあっては、原水流路開閉弁については、開閉操作部材を操作する必要があるものの、圧力逃がし弁については、水圧の変化に伴って自動的に作動するように構成されているので、この種の通常の水栓と同様のシンプルな操作性が得られる。
【００２１】
本発明による第５の元止め式浄水器用水栓において、圧力逃がし弁に、該弁が開く際の圧力を調整する作動圧力調整部が設けられているのが好ましい。これにより、水栓や浄水器の状態等に応じて、圧力調整弁の作動圧力を容易に調整することができる。
【００２２】
【発明の実施の形態】
図１〜３には、本発明の第１の実施形態が示されている。この実施形態は、本発明による第１の元止め式浄水器用水栓を、流し台のシンク下方に設置されるアンダーシンク型浄水器に用いられる水栓に適用したものである。なお、水栓と浄水器との位置関係や、原水配管、浄水配管の接続箇所については、図２９に示すものと同じであるので、図示および詳細な説明は省略する。
【００２３】
図１〜３において、水栓（Ｆ１）は、浄水器（Ｃ）へ向かう原水配管（Ｐ１）の中間に介在するように両端が原水配管（Ｐ１）に接続される原水流路（２１）と、浄水器（Ｃ）からのびる浄水配管（Ｐ２）の末端に位置するように一端が浄水配管（Ｐ２）に接続されかつ他端に吐水口が設けられた浄水流路（２２）と、原水流路（２１）を開閉する原水流路開閉弁（３１）と、浄水流路（２２）を開閉する浄水流路開閉弁（３２）とを備えている。原水流路開閉弁（３１）と浄水流路開閉弁（３２）とは、兼用の開閉操作部材（３０２）を有しているとともに、該開閉操作部材（３０２）を閉操作すると、先に原水流路開閉弁（３１）が原水流路（２１）を閉じ、それに伴って生じる残留水圧の過剰分を逃がし得るだけの時間をおいてから、浄水流路開閉弁（３２）が浄水流路（２２）を閉じるように構成されている。
【００２４】
水栓（Ｆ１）は、略垂直筒状の水栓本体（１１）を備えている。水栓本体（１１）の下部には、雄ねじ部（１１１）が設けられている。水栓本体（１１）の外周面における雄ねじ部（１１１）の上方部分には、環状フランジ部（１１２）が形成されており、このフランジ部（１１２）が、環状パッキン（１２）を介して、流し台の天板（Ｂ）上面における貫通孔（Ｂ１）周縁部に受けられている。そして、雄ねじ部（１１１）のうち天板（Ｂ）より下方に突出した部分に、ワッシャ（１３）を嵌め被せておいてから、ナット（１４）をねじ嵌め、このナット（１４）と水栓本体（１１）のフランジ部（１１２）とで天板（Ｂ）を上下から締め付けることにより、水栓本体（１１）が天板（Ｂ）に固定されている。水栓本体（１１）の上端部には、側方突出部（１１３）が一体に形成されている。
【００２５】
原水流路（２１）は、水栓本体（１１）内の軸芯部にその下端から高さ中間までのびるように形成された第１垂直中空部（１１Ａ）と、水栓本体（１１）内に第１垂直中空部（１１Ａ）と平行に形成された第２垂直中空部（１１Ｂ）と、両垂直中空部（１１Ａ）（１１Ｂ）どうしをこれらの上端部において互いに連通させるように水栓本体（１１）内に形成された水平中空部（１１Ｃ）とで構成されている。第１垂直中空部（１１Ａ）および第２垂直中空部（１１Ｂ）の下端は、水栓本体（１１）の下端面に開口している。図示は省略したが、原水流路（２１）の一端、即ち、第１垂直中空部（１１Ａ）の下端に、上流側原水配管（Ｐ１）の先端が接続され、原水流路（２１）の一端、即ち、第２垂直中空部（１１Ｂ）の下端に、下流側原水配管（Ｐ１）の基端が接続されている（図２９参照）。なお、原水流路（２１）の両端には、原水配管（Ｐ１）を直接接続してもよいが、水栓本体（１１）の下端面に例えば金属管よりなる２つの原水配管接続脚を取り付け、これら配管接続脚を介して、原水配管（Ｐ１）を接続するようにしてもよい。この場合、原水配管接続脚も原水流路の一部を構成することになる。
【００２６】
浄水流路（２２）は、水栓本体（１１）内に第１垂直中空部（１１Ａ）と平行に形成されかつ下端が水栓本体（１１）の下端面に開口した第３垂直中空部（１１Ｄ）と、第３垂直中空部（１１Ｄ）の上端に連なるように水栓本体（１１）内の上部に形成された上部中空部（１１Ｅ）と、上部中空部（１１Ｅ）の一側に連なるように水栓本体（１１）の側方突出部（１１３）内に形成されかつ側方突出部（１１３）上面に開口した側部中空部（１１Ｆ）と、側部中空部（１１Ｆ）に通じるように側方突出部（１１３）上面に垂直軸周り回転自在に取り付けられた吐水管（１５）とで構成されている。そして、吐水管（１５）の先端が、吐水口（図示略）を構成している。浄水流路（２２）の一端、即ち、第３垂直中空部（１１Ｄ）の下端に、浄水配管（Ｐ２）の先端が接続されている（図２９参照）。なお、浄水流路（２２）の一端には、浄水配管（Ｐ２）を直接接続してもよいが、前記と同様、水栓本体（１１）の下端面に浄水配管接続脚を取り付け、この浄水配管接続脚を介して、浄水配管（Ｐ２）を接続するようにしてもよい。勿論、この場合にも、浄水配管接続脚が、浄水流路の一部を構成することになる。また、吐水管（１５）に代えてあるいは吐水管（１５）に加えて、先端にシャワーヘッドを有するシャワーホースを、水栓本体（１１）の側方突出部（１１３）に取り付けるようにしてもよい。吐水管（１５）とシャワーヘッド付きシャワーホースとを併設する場合には、所要箇所に切替弁を設ける。
【００２７】
水栓本体（１１）の上端面には、上部中空部（１１Ｅ）に通じるように貫通ネジ孔（１１４）があけられている。そして、この貫通ネジ孔（１１４）に、雄ネジ付き周壁（１６１）および頂壁（１６２）よりなる蓋（１６）がねじ込まれている。蓋（１６）の頂壁（１６２）の中心部には、貫通孔（１６３）があけられている。この貫通孔（１６３）には、回動軸（３０１）が挿通されている。回動軸（３０１）は、上下動不能となされている。回動軸（３０１）の下端部には、雄ネジ部（３０１Ａ）が設けられている。回動軸（３０１）の上端部には、ハンドル（３０２）が取り付けられている。このハンドル（３０２）が、原水流路開閉弁（３１）および浄水流路開閉弁（３２）兼用の開閉操作部材（３０２）を構成している。
【００２８】
蓋（１６）の内部には、上部に回動軸（３０１）の雄ネジ部（３０１Ａ）にねじ合わせられる雌ネジ部（３２１）を有しかつ下部に弁体（３２２）を有する浄水流路開閉弁用弁体ユニット（３２０）が配されている。この弁体ユニット（３２０）は、ハンドル（３０２）を通じて回動軸（３０１）を回動させることにより上下に移動し、それに伴い、弁体（３２２）が、上部中空部（１１Ｅ）の高さ中間位置に形成された浄水流路開閉弁用環状弁座（３２３）に対して当接または離間させられる。
【００２９】
浄水流路開閉弁用弁体ユニット（３２０）の下部には、弁体（３２２）の内側から下方に伸びる下方突出筒部（３２４）が設けられている。そして、この下方突出筒部（３２４）に、下端に弁体（３１１）を有する原水流路開閉弁用弁体ユニット（３１０）の上部が挿通されている。原水流路開閉弁用弁体ユニット（３１０）は、その上部に小径部（３１２）を有し、その下部に大径部（３１３）を有している。この弁体ユニット（３１０）は、小径部（３１２）が下方突出筒部（３２４）に上下摺動可能に挿通されるとともに、小径部（３１２）の上端部に取り付けられた抜け止めリング（３３）によって、下方突出筒部（３２４）から脱落しないようになっている。小径部（３１２）と下方突出筒部（３２４）の内周面との間は、環状シール部材（３４）によりシールされている。下方突出筒部（３２４）の下端と大径部（３１３）の上端との間には、原水流路開閉弁用弁体ユニット（３１０）を下向きに付勢する圧縮バネ（３５）が介在されている。原水流路（２１）の一部を構成する水平中空部（１１Ｃ）と、浄水流路（２２）の一部を構成する上部中空部（１１Ｅ）とは、第１垂直中空部（１１Ａ）の軸線に対応する位置において、垂直連通孔（１１Ｇ）により連通させられている。原水流路開閉弁用弁体ユニット（３１０）の大径部（３１３）は、この垂直連通孔（１１Ｇ）に上下摺動自在に嵌め込まれている。大径部（３１３）と垂直連通孔（１１Ｇ）の内周面との間は、環状シール部材（３６）によりシールされている。原水流路開閉弁用弁体ユニット（３１０）の弁体（３１１）は、大径部（３１３）の下面に取り付けられている。この原水流路開閉弁用弁体ユニット（３１０）は、ハンドル（３０２）を通じて回動軸（３０１）を回動させることにより上下に移動し、それに伴い、弁体（３１１）が、第１垂直中空部（１１Ａ）の上端に形成された原水流路開閉弁用環状弁座（３１４）に対して当接または離間させられる。
【００３０】
浄水を吐出させる場合、上記水栓（Ｆ１）は、図１に示すような状態となる。即ち、水栓（Ｆ１）における原水流路開閉弁（３１）の弁体（３１１）が弁座（３１４）から離間して原水流路（２１）が開いているともに、浄水流路開閉弁（３２）の弁体（３２２）が弁座（３２３）から離間して浄水流路（２２）が開いている。これにより、原水が、上流側原水配管（Ｐ１）、水栓（Ｆ１）内の原水流路（２１）および下流側原水配管（Ｐ１）を通じて、浄水器（Ｃ）に供給され、次いで、原水が浄水器本体を透過することによって生成された浄水が、浄水配管（Ｐ２）および水栓（Ｆ１）内の浄水流路（２２）を流れて、吐水口から吐出される。
【００３１】
一方、止水する場合、水栓（Ｆ１）は、その初期段階において図２に示すような状態となる。即ち、図１の吐水状態からハンドル（３０２）を閉方向（図１〜３では、上方からみて時計回り方向）に回していくと、図２に示すように、まず、原水流路開閉弁（３１）の弁体（３１１）が弁座（３１４）に当接させられ、これにより原水流路（２１）が閉じられる。原水流路（２１）の閉鎖に伴って、原水流路（２１）の二次側に比較的高い残留水圧が生じるが、浄水流路開閉弁（３２）の弁体（３２２）は未だ弁座（３２３）から離間させられている。したがって、残留水の一部が浄水流路（２２）の二次側へ流れ出し、これにより残留水圧が低下する。
【００３２】
そして、ハンドル（３０２）をさらに閉方向に回すと、図３に示すように、浄水流路開閉弁用弁体ユニット（３２０）が圧縮バネ（３５）を押し縮めながら下方に移動して、該ユニット（３２０）の弁体（３２２）が弁座（３２３）に当接させられ、浄水流路（２２）が閉じられる。これにより残留水は、浄水流路（２２）の二次側に流れ出なくなる。
【００３３】
このように、上記水栓（Ｆ１）にあっては、原水流路（２１）の閉鎖と浄水流路（２２）の閉鎖との間にタイムラグを設け、それによって残留水圧を過剰分だけ逃がすようにしている。なお、原水流路（２１）の閉鎖から浄水流路（２２）の閉鎖までの時間は、圧縮バネ（３５）として適宜のものを選択することにより、調整可能である。したがって、上記水栓（ｆ１）によれば、浄水器本体や配管接続部の耐圧性を高く設定する必要がない上に故障時の漏水によるトラブルが少ないといった元止め式浄水器の利点を損なうことなく、残留水の吐出を量・時間ともに軽減することができる。
【００３４】
図４〜６には、本発明の第２の実施形態が示されている。この実施形態は、本発明による第２の元止め式浄水器用水栓を、アンダーシンク型浄水器に用いられる水栓に適用したものである。
【００３５】
図４〜６において、水栓（Ｆ２）は、浄水器（Ｃ）へ向かう原水配管（Ｐ１）の中間に介在するように両端が原水配管（Ｐ１）に接続される原水流路（５１）と、浄水器（Ｃ）からのびる浄水配管（Ｐ２）の末端に位置するように一端が浄水配管（Ｐ２）に接続されかつ他端に吐水口が設けられた浄水流路（５２）と、原水流路（５１）を開閉する原水流路開閉弁（６１）と、浄水流路（５２）を開閉する浄水流路開閉弁（６２）とを備えている。原水流路開閉弁（６１）と浄水流路開閉弁（６２）とは、兼用の開閉操作部材（６０２）を有しているとともに、該開閉操作部材（６０２）を閉操作すると、原水流路開閉弁（６１）が原水流路（５１）を閉じるのとほぼ同時に浄水流路開閉弁（６２）が浄水流路（５２）を閉じるように構成されている。浄水流路開閉弁（６２）には、原水流路（５１）および浄水流路（５２）の閉鎖に伴って生じる残留水圧の過剰分を二次側へ逃がす圧力逃がし機構（６０５）が設けられている。
【００３６】
水栓（Ｆ２）は、略垂直筒状の水栓本体（４１）を備えている。水栓本体（４１）の下部には、雄ねじ部（４１１）が設けられている。水栓本体（４１）の外周面における雄ねじ部（４１１）の上方部分には、環状フランジ部（４１２）が形成されており、このフランジ部（４１２）が、環状パッキン（１２）を介して、流し台の天板（Ｂ）上面における貫通孔（Ｂ１）周縁部に受けられている。そして、雄ねじ部（４１１）のうち天板（Ｂ）よりも下方に突出した部分に、ワッシャ（１３）を嵌め被せておいてから、ナット（１４）をねじ嵌め、このナット（１４）と水栓本体（４１）のフランジ部（４１２）とで天板（Ｂ）を上下から締め付けることにより、水栓本体（４１）が天板（Ｂ）に固定されている。水栓本体（４１）の上端部には、斜め上方突出部（４１３）が一体に形成されている。
【００３７】
原水流路（５１）は、水栓本体（４１）内の軸芯部にその下端から高さ中間までのびるように形成されかつ上端が斜め上方を向いている第１垂直中空部（４１Ａ）と、水栓本体（４１）内に第１垂直中空部（４１Ａ）と平行に形成されかつ上端が第１垂直中空部（４１Ａ）の上端と交差するように斜め上方を向いている第２垂直中空部（４１Ｂ）と、両垂直中空部（４１Ａ）（４１Ｂ）どうしをこれらの上端部において互いに連通させるように水栓本体（４１）内に形成された傾斜中空部（４１Ｃ）とで構成されている。第１垂直中空部（４１Ａ）および第２垂直中空部（４１Ｂ）の下端は、水栓本体（４１）下端面に開口している。第１垂直中空部（４１Ａ）の下端に上流側原水配管（Ｐ１）の先端が接続され、第２垂直中空部（４１Ｂ）の下端に下流側原水配管（Ｐ１）の基端が接続されている（図２９参照）。
【００３８】
浄水流路（５２）は、水栓本体（４１）内に第１垂直中空部（４１Ａ）と平行に形成され、上端が斜め上方を向きかつ下端が水栓本体（４１）下端面に開口した第３垂直中空部（４１Ｄ）と、第３垂直中空部（４１Ｄ）の上端に連なるように斜め上方突出部（４１３）内に形成された斜め上部中空部（４１Ｅ）と、斜め上部中空部（４１Ｅ）の一側に連なるように水栓本体（４１）の上部内に形成されかつ水栓本体（４１）上端面に開口した上部中空部（４１Ｆ）と、上部中空部（４１Ｆ）に通じるように水栓本体（４１）上端面に垂直軸周り回転自在に取り付けられた吐水管（４５）とで構成されている。吐水管（４５）の先端が、吐水口（図示略）を構成している。第３垂直中空部（４１Ｄ）の下端に、浄水配管（Ｐ２）の先端が接続されている（図２９参照）。
【００３９】
斜め上方突出部（４１３）の先端面には、斜め上部中空部（４１Ｅ）に通じるように貫通ネジ孔（４１４）があけられている。そして、この貫通ネジ孔（４１４）に、雄ネジ付き周壁（４６１）および頂壁（４６２）よりなる蓋（４６）がねじ込まれている。蓋（４６）の頂壁（４６２）の中心部には、貫通孔（４６３）があけられている。この貫通孔（４６３）には、回動軸（６０１）が挿通されている。回動軸（６０１）は、上下移動不能となされている。回動軸（６０１）の下端部には、雄ネジ部（６０１Ａ）が設けられている。回動軸（６０１）の上端部には、ハンドル（６０２）が取り付けられている。このハンドル（６０２）が、原水流路開閉弁（６１）および浄水流路開閉弁（６２）兼用の開閉操作部材（６０２）を構成している。
【００４０】
蓋（４６）の内部には、上部に回動軸（６０１）の雄ネジ部（６０１Ａ）にねじ合わせられる有底筒状雌ネジ部材（６０３）が配されている。雌ネジ部材（６０３）の下端部には下方突出軸（６０４）が一体に形成されている。下方突出軸部（６０４）は、その上端部に小径部（６０４Ａ）を有し、その下端部に大径部（６０４Ｂ）を有し、残りの部分、即ち、長さ中間部に、小径部（６０４Ａ）より径が大きくかつ大径部（６０４Ｂ）より径が小さい中間径部（６０４Ｃ）を有している。
【００４１】
下方突出軸（６０４）の小径部（６０４Ａ）には、浄水流路開閉弁（６２）の環状弁体（６２１）が、上下移動可能に嵌め被せられている。雌ネジ部材（６０３）の下端部と弁体（６２１）との間には、弁体（６２１）を中間径部（６０４Ｃ）上端面に押しつけるように付勢する圧縮バネ（６０５）が介在されている。これにより、浄水流路開閉弁（６２）は、一次側圧力が所定値を越えた場合に、これを二次側に逃がし得るようになっている。
【００４２】
原水流路（５１）の一部を構成する傾斜中空部（４１Ｃ）と、浄水流路（５２）の一部を構成する斜め上部中空部（４１Ｅ）とは、第１垂直中空部（４１Ａ）の上端中心に対応する位置において傾斜状の連通孔（４１Ｇ）により連通させられている。下方突出軸（６０４）の大径部（６０４Ｂ）は、この連通孔（４１Ｇ）に摺動自在に嵌め込まれている。大径部（６０４Ｂ）と連通孔（４１Ｇ）内周面との間は、環状シール部材（６０６）によりシールされている。大径部（６０４Ｂ）の下端に、原水流路開閉弁（６１）の弁体（６１１）が設けられている。
【００４３】
原水流路開閉弁（６１）および浄水流路開閉弁（６２）の弁体（６１１）（６２１）を備えた下方突出軸（６０４）は、ハンドル（６０２）を通じて回動軸（６０１）を回動させることにより上下に移動する。そして、それに伴い、浄水流路開閉弁（６２）の弁体（６２１）が、斜め上部中空部（４１Ｅ）の高さ中間位置に形成された浄水流路開閉弁用環状弁座（６２２）に対して当接または離間させられるとともに、原水流路開閉弁（６１）の弁体（６１１）が、第１垂直中空部（４１Ａ）の上端に形成された原水流路開閉弁用環状弁座（６１２）に対して当接または離間させられる。
【００４４】
浄水を吐出させる場合、上記水栓（Ｆ２）は、図４に示すような状態となる。即ち、水栓（Ｆ２）における原水流路開閉弁（６１）の弁体（６１１）が弁座（６１２）から離間して原水流路（５１）が開いているともに、浄水流路開閉弁（６２）の弁体（６２１）が弁座（６２２）から離間して浄水流路（５２）が開いている。これにより、原水が、上流側原水配管（Ｐ１）、水栓（Ｆ２）内の原水流路（５１）および下流側原水配管（Ｐ２）を通じて、浄水器（Ｃ）に供給され、次いで、原水が浄水器本体を透過することによって生成された浄水が、浄水配管（Ｐ２）および水栓（Ｆ２）内の浄水流路（５２）を流れて、吐水口から吐出される。
【００４５】
一方、止水する場合、水栓（Ｆ２）は、その初期段階において図５に示すような状態となる。即ち、図４の吐水状態からハンドル（６０２）を閉方向（図４〜６では、上方からみて時計回り方向）に回していくと、図５に示すように、原水流路開閉弁（６１）の弁体（６１１）が弁座（６１２）に当接させられて原水流路（５１）が閉じられるのとほぼ同時に、浄水流路開閉弁（６２）の弁体（６２１）が弁座（６２２）に当接させられて浄水流路（５２）が閉じられる。原水流路（５１）および浄水流路（５２）の閉鎖に伴って、原水流路（５１）の二次側に比較的高い残留水圧が生じるが、浄水流路開閉弁（６２）の弁体（６２１）は、その一次側に過剰な水圧がかかると、これを中間径部（６０４Ｃ）の上端に付勢している圧縮バネ（６０５）が縮んで、弁座（６２２）から一時的に離間させられる。これにより、残留水の一部が浄水流路（５２）の二次側へ流れ出る。
【００４６】
残留水圧が過剰分だけ低下すると、図６に示すように、浄水流路開閉弁（６２）の弁体（６２１）が、圧縮バネ（６０５）に押し戻されて、弁座（６２２）に当接させられ、浄水流路（５２）が再び閉じられる。したがって、残留水は、それ以降、浄水流路（５２）の二次側に流れ出ない。
【００４７】
このように、上記水栓（Ｆ２）にあっては、原水流路（５１）と浄水流路（５２）とを開閉弁（６１）（６２）によってほぼ同時に閉鎖するとともに、浄水流路開閉弁（６２）の圧力逃がし機構（６０５）により、残留水圧を過剰分だけ逃がすようにしている。なお、浄水流路開閉弁（６２）の圧力逃がし機構（６０５）の作動圧力は、圧縮バネ（６０５）として適宜のものを選択することにより、調整可能である。したがって、上記水栓（Ｆ２）によれば、浄水器本体等の耐圧性を高く設定する必要がない上に故障時の漏水によるトラブルが少ないといった元止め式浄水器の利点を損なうことなく、残留水の吐出を量・時間ともに軽減することができる。
【００４８】
図７および８には、本発明の第３の実施形態が示されている。この実施形態は、本発明による第３の元止め式浄水器用水栓を、アンダーシンク型浄水器に用いられる水栓に適用したものである。
【００４９】
図７および８において、水栓（Ｆ３）は、浄水器（Ｃ）へ向かう原水配管（Ｐ１）の中間に介在するように両端が原水配管（Ｐ１）に接続される原水流路（５１）と、浄水器（Ｃ）からのびる浄水配管（Ｐ２）の末端に位置するように一端が浄水配管（Ｐ２）に接続されかつ他端に吐水口が設けられた浄水流路（５２）と、原水流路（５１）を開閉する原水流路開閉弁（６１）と、浄水流路（５２）を開閉する浄水流路開閉弁（６２）とを備えている。原水流路開閉弁（６１）と浄水流路開閉弁（６２）とは、兼用の開閉操作部材（６０２）を有しているとともに、該開閉操作部材（６０２）を閉操作すると、原水流路開閉弁（６１）が原水流路（５１）を閉じるのとほぼ同時に浄水流路開閉弁（６２）が浄水流路（５２）を閉じるように構成されている。原水流路（５１）の二次側には、原水流路（５１）および浄水流路（５２）の閉鎖に伴って生じる残留水圧を少なくとも過剰分だけ低下させる減圧弁（６３）が設けられている。
【００５０】
この実施形態の水栓（Ｆ３）は、以下の点を除いて、図４〜６に示す第２の実施形態の水栓（Ｆ２）と同一の構造を有している。即ち、図７および８に示す水栓（Ｆ３）では、その水栓本体（４１）の下端面に、金属管よりなる２つの原水配管接続脚（４２１）が取り付けられ、これらの原水配管接続脚（４２１）を介して、上流側原水配管（Ｐ１）および下流側原水配管（Ｐ１）が、原水流路（５１）の両端に接続されている。同様に、水栓本体（４１）の下端面に、金属管よりなる浄水配管接続脚（４２２）が取り付けられ、この浄水配管接続脚（４２２）を介して、浄水配管（Ｐ２）が、浄水流路（５２）の下端に接続されている。
【００５１】
下流側原水配管接続脚（４２１）の先端部には、減圧弁ユニット（６３０）が設けられている。減圧弁ユニット（６３０）は、円筒状ケーシング（６３１）を備えている。ケーシング（６３１）の高さ中央部には、一側に開口した原水入口（６３１Ａ）が設けられている。この原水入口（６３１Ａ）に、管継手（６４）を介して、下流側原水配管接続脚（４２１）の先端部が接続されている。ケーシング（６３１）の下端部には、原水入口（６３１Ａ）と反対向きに開口した原水出口（６３１Ｂ）が設けられている。図示は省略したが、この原水出口（６３１Ｂ）に、管継手を介して、下流側原水配管（Ｐ１）の基端部が接続されている。ケーシング（６３１）の上端および下端は、それぞれ上蓋（６３２）、下蓋（６３３）によって閉鎖されている。上蓋（６３２）には、ケーシング（６３１）内に臨むように下方に開口した残留水収容用凹部（６３２Ａ）が設けられている。下蓋（６３３）は、その上端が原水入口（６３１Ａ）と原水出口（６３１Ｂ）との間に位置するような高さを有している。下蓋（６３３）には、その上端面中心部から高さ中間位置まで達する有底孔（６３３Ａ）があけられているとともに、有底孔（６３３Ａ）と原水出口（６３１Ｂ）とを連通させるように下蓋（６３３）外周面に開口した複数の横孔（６３３Ｂ）があけられている。下蓋（６３３）上端面における有底孔（６３３Ａ）の周縁には、弁座（６３４）が設けられている。ケーシング（６３１）には、その内部を、原水入口（６３１Ａ）および原水出口（６３１Ｂ）に通じる下側の原水流通部（６３０Ａ）と、上側の減圧時原水導入部（６３０Ｂ）とに区画する水平仕切壁（６３５）が設けられている。水平仕切壁（６３５）の中心部には、垂直貫通孔（６３５Ａ）があけられている。ケーシング（６３０）内には、弁体ユニット（６３６）が、上下移動自在に配されている。弁体ユニット（６３６）は、その上端部に位置する大径部（６３６Ａ）と、大径部（６３６Ａ）から下方にのびかつ前記垂直貫通孔（６３５Ａ）に上下摺動自在に挿通される中間径部（６３６Ｂ）と、中間径部（６３６Ｂ）から下方にのびる小径部（６３６Ｃ）とを備えている。そして、中間径部（６３６Ｂ）の下端に、弁座（６３４）に対して当接・離間させられる弁体（６３７）が設けられている。弁体ユニット（６３６）の中心部には、垂直貫通状の原水通過孔（６３６Ｄ）があけられている。弁体ユニット（６３６）の大径部（６３６Ａ）下端面とケーシング（６３０）の水平仕切壁（６３５）上面との間には、弁体ユニット（６３６）を上向きに付勢する圧縮バネ（６３８）が介在されている。
【００５２】
浄水を吐出させる場合、上記水栓（Ｆ３）は、図７に示すような状態となる。即ち、水栓（Ｆ３）における原水流路開閉弁（６１）の弁体（６１１）が弁座（６１２）から離間して原水流路（５１）が開いているともに、浄水流路開閉弁（６２）の弁体（６２１）が弁座（６２２）から離間して浄水流路（６２）が開いている。これにより、原水が、上流側原水配管（Ｐ１）、水栓（Ｆ３）内の原水流路（５１）および下流側原水配管（Ｐ２）を通じて、浄水器（Ｃ）に供給され、次いで、原水が浄水器本体を透過することによって生成された浄水が、浄水配管（Ｐ２）および水栓（Ｆ３）内の浄水流路（５２）を流れて、吐水口から吐出される。
【００５３】
ここで、減圧弁ユニット（６３０）にそのケーシング（６３１）の原水入口（６３１Ａ）を通じて導入された原水は、原水流通部（６３０Ａ）、下蓋（６３３）の有底孔（６３３Ａ）および横孔（６３３Ｂ）を通じて、ケーシング（６３１）の原水出口（６３１Ｂ）から出ていく。この状態では、原水流通部（６３０Ａ）内における水圧がそれ程高くないため、原水が弁体ユニット（６３６）の原水通過孔（６３６Ｄ）を経て減圧時原水導入部（６３０Ｂ）に流れ込むことはほとんどない。したがって、弁体ユニット（６３６）は、その上方から水圧を受けないので、図７に示すように、弁体（６３７）が弁座（６３４）から離間させられたままの状態となっている。
【００５４】
一方、止水する場合、水栓（Ｆ３）は、図８に示すような状態となる。即ち、図７の吐水状態からハンドル（６０２）を閉方向（図７，８では、上方からみて時計回り方向）に回動させていくと、図８に示すように、原水流路開閉弁（６１）の弁体（６１１）が弁座（６１２）に当接させられて原水流路（５１）が閉じられるのとほぼ同時に、浄水流路開閉弁（６２）の弁体（６２１）が弁座（６２２）に当接させられて浄水流路（５２）が閉じられる。原水流路（５１）および浄水流路（５２）の閉鎖に伴って、原水流路（５１）の二次側に比較的高い残留水圧が生じると、残留水の一部が、減圧弁（６３）の弁体ユニット（６３６）の原水通過孔（６３６Ｄ）を通って、上蓋（６３２）の凹部（６３２Ａ）よりなる減圧時原水導入部（６３０Ｂ）に流れ込む。そうすると、減圧弁（６３）の弁体ユニット（６３６）が、減圧時原水導入部（６３０Ｂ）に溜まった水の圧力により下方へ押し下げられ、その結果、弁体（６３７）が弁座（６３４）に当接する。これにより、原水流路（５１）の二次側における残留水圧が低下させられる。したがって、浄水器（Ｃ）の浄水器本体や配管接続部に過剰な残留水圧がかかることがない。浄水流路開閉弁（６２）は、圧力逃がし機構（６０５）を有しているが、この実施形態では、前記減圧弁（６３）があるため、通常は機能しないが、残留圧力の高さによっては補助的に機能することもあり得る。
【００５５】
このように、上記水栓（Ｆ３）にあっては、原水流路（５１）と浄水流路（５２）とを開閉弁（６１）（６２）によってほぼ同時に閉鎖するとともに、原水流路（５１）の二次側に設けた減圧弁（６３）により、残留水圧を過剰分だけ下げるようにしている。したがって、上記水栓（Ｆ３）によれば、浄水器本体等の耐圧性を高く設定する必要がない上に故障時の漏水によるトラブルが少ないといった元止め式浄水器の利点を損なうことなく、残留水の吐出をほぼ完全に阻止することができる。
【００５６】
図９〜１１には、本発明の第４の実施形態が示されている。この実施形態は、本発明による第４の元止め式浄水器用水栓を、アンダーシンク型浄水器用水栓に適用したものである。
【００５７】
図９〜１１において、水栓（Ｆ４）は、浄水器（Ｃ）へ向かう原水配管（Ｐ１）の中間に介在するように両端が原水配管（Ｐ１）に接続される原水流路（８１）と、浄水器（Ｃ）からのびる浄水配管（Ｐ２）の末端に位置するように一端が浄水配管（Ｐ２）に接続されかつ他端に吐水口が設けられた浄水流路（８２）と、開閉操作部材（９１２）を操作することにより原水流路（８１）を開閉する原水流路開閉弁（９１）と、原水流路（８１）の閉鎖に伴って生じる残留水圧の過剰分を逃がしておいてから浄水流路（８２）を自動的に閉じる浄水流路遮断弁（９２）とを備えている。
【００５８】
水栓（Ｆ４）は、略垂直筒状の水栓本体（７１）を備えている。水栓本体（７１）の下部には、雄ねじ部（７１１）が設けられている。水栓本体（７１）外周面における雄ねじ部（７１１）の上方部分には、環状フランジ部（７１２）が形成されており、このフランジ部（７１２）が、環状パッキン（１２）を介して、流し台の天板（Ｂ）上面における貫通孔（Ｂ１）周縁部に受けられている。そして、雄ねじ部（７１１）のうち天板（Ｂ）よりも下方に突出した部分に、ワッシャ（１３）を嵌め被せておいてから、ナット（１４）をねじ嵌め、このナット（１４）と水栓本体（７１）のフランジ部（７１２）とで天板（Ｂ）を上下から締め付けることにより、水栓本体（７１）が天板（Ｂ）に固定されている。
【００５９】
原水流路（８１）は、水栓本体（７１）内の軸芯部にその下端から上端寄りまでのびるように形成された第１垂直中空部（７１Ａ）と、水栓本体（７１）内に第１垂直中空部（７１Ａ）と平行に形成された第２垂直中空部（７１Ｂ）と、両垂直中空部（７１Ａ）（７１Ｂ）の上端どうしを連通させるように水栓本体（７１）内に形成された連通孔（７１Ｃ）とで構成されている。第１垂直中空部（７１Ａ）および第２垂直中空部（７１Ｂ）の下端は、水栓本体（７１）下端面に開口している。第１垂直中空部（７１Ａ）の下端に上流側原水配管（Ｐ１）の先端が接続され、第２垂直中空部（７１Ｂ）の下端に下流側原水配管（Ｐ１）の基端が接続されている（図２９参照）。
【００６０】
浄水流路（８２）は、水栓本体（７１）内に第１垂直中空部（７１Ａ）と平行に形成されかつ下端が水栓本体（７１）下面に開口した第３垂直中空部（７１Ｄ）と、第３垂直中空部（７１Ｄ）の上端に連なるように水栓本体（７１）内の上端寄りに形成された水平中空部（７１Ｅ）と、水平中空部（７１Ｅ）に連なるように水栓本体（７１）内の上端部に形成されかつ水栓本体（７１）上端面に開口した上部中空部（７１Ｆ）と、上部中空部（７１Ｆ）に通じるように通じるように水栓本体（７１）上端部に垂直軸周り回転自在に取り付けられた吐水管（７５）とで構成されている。吐水管（７５）の先端が、吐水口を構成している。吐水管（７５）の基端部は、ナット（７４）により、水栓本体（７１）上端部に取り付けられている。第３垂直中空部（７１Ｄ）の下端に浄水配管（Ｐ２）の先端が接続されている（図２９参照）。
【００６１】
水栓本体（７１）の周壁一側部には、第２垂直中空部（７１Ｂ）の上端部に通じるように水平貫通ネジ孔（７１３）があけられている。そして、この水平貫通ネジ孔（７１３）に、雄ネジ付き水平筒壁（７６１）および外壁（７６２）よりなる蓋（７６）がねじ込まれている。蓋（７６）の外壁（７６２）の中心部には、貫通孔（７６２Ａ）があけられている。この貫通孔（７６２Ａ）には、回動軸（９１１）が挿通されている。回動軸（９１１）は、水平方向移動不能となされている。回動軸（９１１）の内端部には、雄ネジ部（９１１Ａ）が設けられている。回動軸（９１１）の外端部には、ハンドル（９１２）が取り付けられている。このハンドル（９１２）が、原水流路開閉弁（９１）の開閉操作部材（９１２）を構成している。
【００６２】
蓋（７６）の内部には、外端部に回動軸（９１１）の雄ネジ部（９１１Ａ）にねじ合わせられる雌ネジ部（９１３Ａ）を有しかつ内端部に弁体（９１４）を有する弁体ユニット（９１３）が配されている。弁体ユニット（９１３）は、ハンドル（９１２）を通じて回動軸（９１１）を回動させることにより水平方向に移動する。そして、それに伴い、該弁体ユニット（９１３）の弁体（９１４）が、連通孔（７１Ｃ）の周縁部によって形成された弁座に（９１５）に対して、当接または離間させられる。
【００６３】
水栓本体（７１）の上部中空部（７１Ｆ）には、浄水流路遮断弁ユニット（９２）が配されている。浄水流路遮断弁ユニット（９２０）は、上部中空部（７１Ｆ）に嵌め込まれて固定された略筒状ケーシング（９２１）を備えている。ケーシング（９２１）は、周壁部（９２１Ａ）と頂壁部（９２１Ｂ）とよりなる。周壁部（９２１Ａ）の下端部には、内方環状張出部よりなる弁座（９２２）が一体に形成されている。頂壁部（９２１Ｂ）は、その中心部に挿通孔（９２３）を有するとともに、その周縁部に浄水通過孔（図示略）を有する。ケーシング（９２１）内には、弁体（９２４）が配されている。弁体（９２４）は、略円盤状をなしている。弁体（９２４）の上面中心には、上方にのびる軸部（９２５）が一体に形成されている。軸部（９２５）は、挿通孔（９２３）に上下移動自在に挿通されている。弁体（９２４）上面とケーシング（９２１）の頂壁部（９２１Ｂ）下面との間には、弁体（９２４）を下向きに付勢する圧縮バネ（９２６）が介在されている。
【００６４】
浄水を吐出させる場合、上記水栓（Ｆ４）は、図９に示すような状態となる。即ち、水栓（Ｆ４）における原水流路開閉弁（９１）の弁体（９１４）が弁座（９１５）から離間して原水流路（８１）が開いているともに、浄水流路遮断弁（９２）の弁体（９２４）が浄水の動水圧により弁座（９２２）から離間して浄水流路（８２）が開いている。
【００６５】
一方、止水する場合、水栓（Ｆ４）は、その初期段階において図１０に示すような状態となる。即ち、図９の吐水状態からハンドル（９１２）を閉方向（図９〜１１では、右方からみて反時計回り方向）に回していくと、図１０に示すように、原水流路開閉弁（９１）の弁体（９１４）が弁座（９１５）に当接させられ、これにより原水流路（８１）が閉じられる。原水流路（８１）の閉鎖に伴って、原水流路（８１）の二次側に比較的高い残留水圧が生じるが、浄水流路遮断弁（９２）の弁体（９２４）は、残留水圧により、未だ弁座（９２２）から離間させられている。これにより、残留水の一部が浄水流路（８２）の二次側へ流れ、残留水圧が低下する。
【００６６】
そして、残留水圧が浄水流路（８２）の二次側へ過剰分だけ逃げて所定値まで低下すると、図１１に示すように、浄水流路遮断（９２）の弁体（９２４）が下方に移動して弁座（９２２）に当接させられ、浄水流路（８２）が閉じられる。これ以降、残留水は、浄水流路（８２）の二次側に流れ出ない。
【００６７】
このように、上記水栓（Ｆ４）にあっては、浄水流路（８２）に設けた遮断弁（９２）によって残留水圧を過剰分だけ逃がすようにしている。なお、原水流路（８１）の閉鎖から浄水流路（８２）の閉鎖までの時間は、浄水流路遮断弁（９２）の圧縮バネ（９２６）として適宜のものを選択することにより、調整可能である。したがって、上記水栓（Ｆ４）によれば、浄水器本体等の耐圧性を高く設定する必要がない上に故障時の漏水によるトラブルが少ないといった元止め式浄水器の利点を損なうことなく、残留水の吐出を量・時間ともに軽減することができる。
【００６８】
図１２〜１４には、本発明の第５の実施形態が示されている。この実施形態は、本発明による第５の元止め式浄水器用水栓を、アンダーシンク型浄水器用水栓に適用したものである。
【００６９】
図１２〜１４において、水栓（Ｆ５）は、浄水器（Ｃ）へ向かう原水配管（Ｐ１）の中間に介在するように両端が原水配管（Ｐ１）に接続される原水流路（８１）と、浄水器（Ｃ）からのびる浄水配管（Ｐ２）の末端に位置するように一端が浄水配管（Ｐ２）に接続されかつ他端に吐水口が設けられた浄水流路（８２）と、開閉操作部材（９１２）を操作することにより原水流路（８１）を開閉する原水流路開閉弁（９１）と、原水流路（８１）の二次側と浄水流路（８２）とを連通させる連通部（８３）と、連通部（８３）に配されかつ原水流路（８１）の閉鎖に伴って生じる残留水圧の過剰分を浄水流路（８２）へ逃がす圧力逃がし弁（９３）とを備えている。
【００７０】
この実施形態の水栓は、以下の点を除いて、図９〜１１に示す第４の実施形態の水栓と同一の構造を有している。
【００７１】
即ち、図１２〜１４に示す水栓では、原水流路（８１）の二次側を構成している第２垂直中空部（７１Ｂ）の上端部が、原水流路（８１）の一次側を構成している第１垂直中空部（７１Ａ）の上端部よりもやや上方まで長くのびている。また、浄水流路（８２）は、第３垂直中空部（７１Ｄ）と、これの上端に連なる上部中空部（７１Ｈ）と、吐水管（７５）とで構成されている。そして、第２垂直中空部（７１Ｂ）および第３垂直中空部（７１Ｄ）の上端部同士の間に、前記連通部（８３）が水平状に設けられている。連通部（８３）における原水流路（８１）側の端部が、圧力逃がし弁（９３）の弁座（９３１）を構成している。水栓本体（７１）上端部におけるハンドル（９１２）と反対の側部には、水平貫通状のネジ孔（７１４）があけられている。そして、このネジ孔（７１４）に、雄ネジ部材（９３２）がねじ込まれている。雄ネジ部材（９３２）の軸芯部には、内端に開口した有底孔（９３２Ａ）があけられてる。雄ネジ部材（９３２）は、浄水流路（８２）を横切って、連通部（８３）における浄水流路（８２）側の端部まで達している。雄ネジ部材（９３２）の外端には、同部材（９３２）を回すための回動操作部（９３２Ｂ）が設けられている。圧力逃がし弁（９３）の弁体（９３３）は、横向き円錐台形状であって、その浄水流路（８２）側の面には、水平軸（９３４）が一体に設けられている。水平軸（９３４）は、雄ネジ部材（９３２）の有底孔（９３２Ａ）に摺動自在に挿入されている。有底孔（９３２Ａ）の底と、水平軸（９３４）の先端との間には、水平軸（９３４）付き弁体（９３３）を弁座（９３１）に向かって付勢する圧縮バネ（９３５）が介在されている。雄ネジ部材（９３２）を回動操作部（９３２Ｂ）を通じて回動させることによって、圧縮バネ（９３５）が弁体（９３３）を弁座（９３１）に向かって押す力を調整することができ、ひいては、圧力逃がし弁（９３）が開く時の作動圧力を調整できるようになっている。このように、回動操作部（９３２Ｂ）を有する雄ネジ部材（９３２）が、圧力逃がし弁（９３）の作動圧力調整部（９３２）を構成している。
【００７２】
浄水を吐出させる場合、上記水栓（Ｆ５）は、図１２に示すような状態となる。即ち、水栓（Ｆ５）における原水流路開閉弁（９１）の弁体（９１４）が弁座（９１５）から離間して原水流路（８１）が開いており、圧力逃がし弁の弁体（９３３）は弁座（９３１）に当接している。これにより、原水が原水流路（８１）および下流側原水配管（Ｐ１）を経て浄水器（Ｃ）に流れ込み、浄水器（Ｃ）で生成された浄水が浄水配管（Ｐ２）および浄水流路（８２）を経て吐水口から吐出される。
【００７３】
一方、止水する場合、水栓（Ｆ５）は、その初期段階において、図１３に示すような状態となる。即ち、図１２の吐水状態からハンドル（９１２）を閉方向（図１２〜１４では、右方からみて反時計回り方向）に回していくと、図１３に示すように、原水流路開閉弁（９１）の弁体（９１４）が弁座（９１５）に当接させられ、これにより原水流路（８１）が閉じられる。原水流路（８１）の閉鎖に伴って、原水流路（８１）の二次側に比較的高い残留水圧が生じると、その圧力を受けた圧力逃がし弁（９３）の弁体（９３３）が弁座（９３１）から離間して、残留水の一部が連通部（８３）を経て浄水流路（８２）へ流れ出し、これにより残留水圧が低下する。
【００７４】
そして、残留水圧が過剰分だけ逃げて所定値まで低下すると、図１４に示すように、圧力逃がし弁（９３）の弁体（９３３）が再び弁座（９３１）に当接し、原水流路（８１）の二次側と浄水流路（８２）とが遮断される。これ以降、原水流路（８１）の二次側の残留水は、連通部（８３）を経て浄水流路（８２）に流れ出ない。
【００７５】
このように、上記水栓（Ｆ５）にあっては、原水流路（８１）の二次側と浄水流路（８２）との連通部（８３）に設けた圧力逃がし弁（９３）によって、原水流路（８１）の二次側の残留水圧を過剰分だけ逃がすようにしている。また、この水栓（Ｆ５）では、雄ねじ部材（作動圧力調整部）（９３２）の回動操作部（９３２Ｂ）を操作することにより、圧力逃がし弁（９３）の作動圧力を容易に調整することができる。したがって、上記水栓（Ｆ５）によれば、浄水器本体等の耐圧性を高く設定する必要がない上に故障時の漏水によるトラブルが少ないといった元止め式浄水器の利点を損なうことなく、残留水の吐出を量・時間ともに軽減することができる。
【００７６】
図１５〜１８には、本発明の第６の実施形態が示されている。これは、本発明による第３の元止め式浄水器用水栓のもう一つの実施形態を示したものである。この実施形態の水栓（Ｆ６）は、以下の点を除いて、図７および８に示す第３の実施形態の水栓（Ｆ３）と同一の構造を有している。
【００７７】
即ち、図１５〜１８に示す水栓（Ｆ６）の水栓本体（４１０）内には、その軸芯部の下端から高さ中間までのびかつ上端部が側方に開口した第１垂直中空部（４１０Ａ）と、第１垂直中空部（４１０Ａ）と平行にのびかつ上端が第１垂直中空部（４１０Ａ）の上端よりも低い位置にある第２垂直中空部（４１０Ｂ）と、第１垂直中空部（４１０Ａ）と第２垂直中空部（４１０Ｂ）の上端どうしを連通させるように水平にのびる第１水平中空部（４１０Ｃ）とを備えており、これらの中空部（４１０Ａ）（４１０Ｂ）（４１０Ｃ）が原水流路（５１０）の一部を構成している。
【００７８】
また、水栓本体（４１０）内には、第１垂直中空部（４１０Ａ）と平行にのびかつ上端が第１垂直中空部（４１０Ａ）の上端よりも高い位置で側方に開口している第３垂直中空部（４１０Ｄ）と、第３垂直中空部（４１０Ｄ）の上端に連なるように水平にのびる第２水平中空部（４１０Ｅ）と、第２水平中空部（４１０Ｅ）の上部に連なりかつ水栓本体（４１０）上端面に開口した上部中空部（４１０Ｆ）とを備えており、これらの中空部（４１０Ｄ）（４１０Ｅ）（４１０Ｆ）が浄水流路（５２０）の一部を構成している。吐水管（４５０）は、上部中空部（４１０Ｆ）に通じるように、水栓本体（４１０）上端に回転自在に取り付けられている。
【００７９】
互いに平行な第１水平中空部（４１０Ｃ）および第２水平中空部（４１０Ｅ）は、これらの一端が水栓本体（４１０）の側方に開口している。これら水平中空部（４１０Ｃ）（４１０Ｅ）の両端には、雌ネジ（４１５）が形成されている。そして、第１水平中空部（４１０Ｃ）に、一端に雄ネジ（６５１Ａ）を有する筒状ケーシング（６５１）を備えた原水流路開閉弁ユニット（６５０）が挿入されてねじ止められている。また、第２水平中空部（４０１Ｅ）に、一端に雄ネジ（６６１Ａ）を有する筒状ケーシング（６６１）を備えた浄水流路開閉弁ユニット（６６０）が挿入されてねじ止められている。各開閉弁ユニット（６５０）（６６０）は、第１および第２水平中空部（４１０Ｃ）（４１０Ｅ）の各外端にねじ込まれたリング状の雄ネジ付きユニット押さえ（６５２）（６６２）によって、外側から固定されている。
【００８０】
原水流路開閉弁ユニット（６５０）のケーシング（６５１）の内端は、第１垂直中空部（４１０Ａ）の上端部に通じている。上記ケーシング（６５１）の周壁の所要位置には、第２垂直中空部（４１０Ｂ）に通じる連通孔（６５１Ｂ）があけられている（図１８参照）。浄水流路開閉弁ユニット（６６０）のケーシング（６６１）の内端は、第３垂直中空部（４１０Ｄ）の上端部に通じている。上記ケーシング（６６１）の周壁の所要位置には、上部中空部（４１０Ｆ）に通じる連通孔（６６１Ｂ）があけられている（図１８参照）。各ユニット（６５０）（６６０）のケーシング（６５１）（６６１）の内端部には、固定ディスク（６５３）（６６３）が取り付けられている。固定ディスク（６５３）（６６３）の外側面には、可動ディスク（弁体）（６５４）（６６４）が回転自在に重ねられている。各ディスク（６５３）（６５４）（６６３）（６６４）には、ディスク中心を基準として対称な９０°の扇形をした２つの通水孔（６５３Ａ）（６５４Ａ）（６６３Ａ）（６６４Ａ）があけられている。各ユニット（６５０（６６０）のケーシング（６５１）（６６１）の外端側には、スピンドル（弁体駆動軸）（６５５）（６６５）が水平方向移動不能に挿入されている。スピンドル（６５５）（６６５）の内端部には、可動ディスク（６５４）（６６４）の外側面に形成された凹部（図示略）に係り止められる係合凸部（６５５Ａ）（６６５Ａ）が設けられている。両ユニット（６５０）（６６０）のスピンドル（６５５）（６６５）の外端部には、同形同大の従動歯車（６５６）（６６６）が取り付けられている。
【００８１】
水栓本体（４１０）の一側面には、両開閉弁ユニット（６５０）（６６０）の従動歯車（６５６）（６６６）を覆うように、サイドカバー（４１６）がネジ（図示略）で止められている。サイドカバー（４１６）の中心部には貫通孔（４１６Ａ）があけられており、ここに回動軸（６０７）が挿通されている。回動軸（６０７）の内端には、両開閉弁ユニット（６５０）（６６０）の従動歯車（６５６）（６６６）と噛み合う駆動歯車（６０８）が取り付けられている。駆動軸（６０７）の外端（先端）には、ハンドル（開閉操作部材）（６０９）が取り付けられている。
【００８２】
浄水を吐出させる場合、上記水栓（Ｆ６）は、図１５に示すような状態となる。即ち、水栓（Ｆ６）の原水流路開閉弁ユニット（６５０）内において、可動ディスク（６５４）が、固定ディスク（６５３）に対して、これらの通水孔（６５３Ａ）（６５４Ａ）どうしが合致した回動位置にあり、原水流路（５１０）が開いている。また、水栓（Ｆ６）の浄水流路開閉弁ユニット（６６０）内において、可動ディスク（６６４）が、固定ディスク（６６３）に対して、これらの通水孔（６６３Ａ）（６６４Ａ）どうしが重なり合う回動位置にあり、浄水流路（５２０）が開いている。これにより、原水が、上流側原水配管（Ｐ１）、水栓（Ｆ６）内の原水流路（５１０）および下流側原水配管（Ｐ２）を通じて、浄水器（Ｃ）に供給され、次いで、原水が浄水器本体を透過することによって生成された浄水が、浄水配管（Ｐ２）および水栓（Ｆ６）内の浄水流路（５２０）を流れて、吐水口から吐出される。この状態では、減圧弁（６３）は、図７の場合と同様に、作動していない。
【００８３】
一方、止水する場合、水栓（Ｆ６）は、その初期段階において図１６〜１８に示すような状態となる。即ち、図１５の吐水状態からハンドル（６０９）を閉方向（図１６〜１８では、右方からみて逆時計回り方向）に９０°回すと、回動軸（６０７）が回転し、駆動歯車（６０８）および従動歯車（６５６）（６６６）よりなる歯車機構によって、両開閉弁ユニット（６５０）（６６０）のスピンドル（６５５）（６６５）が、同一方向に同一角度だけ同時に回転する。そうすると、各ユニット（６５０）（６６０）内において、可動ディスク（６５４）（６６４）が、固定ディスク（６５３）（６６３）に対して、これらの通水孔（６５３Ａ）（６５４Ａ）（６６３Ａ）（６６４Ａ）どうしが完全にずれた回動位置まで移動させられ、それにより、原水流路（５１０）と浄水流路（５２０）とが同時に閉じる。原水流路（５１０）および浄水流路（５２０）の閉鎖に伴って、原水流路（５１０）の二次側に比較的高い残留水圧が生じると、図８の場合と同様に減圧弁（６３）が作動し、原水流路（５１０）の二次側における残留水圧が低下させられる。
【００８４】
図１９および２０には、本発明の第７の実施形態が示されている。これは、本発明による第３の元止め式浄水器用水栓の更にもう一つの実施形態を示すものである。この実施形態の水栓（Ｆ７）は、以下の点を除いて、図１５〜１８に示す第６の実施形態の水栓（Ｆ６）と同一の構造を有している。
【００８５】
即ち、図１９および２０に示す水栓（Ｆ７）にあっては、原水流路（５１０）および浄水流路（５２０）の閉鎖に伴って生じる残留水圧を少なくとも過剰分だけ低下させる減圧弁（６７）が、浄水流路（５２０）の一次側に設けられている。
【００８６】
浄水配管接続脚（４２２）の先端部に、減圧弁ユニット（６７０）が設けられている。減圧弁ユニット（６７０）は、略有底円筒状ケーシング（６７１）を備えている。ケーシング（６７１）内の下部には、両端が外方に開口した水平状浄水流通部（６７２）が形成されている。浄水流通部（６７２）の一端が浄水入口（６７２Ａ）、同他端が浄水出口（６７２Ｂ）となされている。図示は省略したが、浄水入口（６７２Ａ）に、管継手を介して、浄水配管（Ｐ１）の先端部が接続されている。浄水出口（６７２Ｂ）には、管継手（６４）を介して、浄水配管接続脚（４２２）の先端部が接続されている。ケーシング（６７０）の上端開口は、蓋（６７３）によって閉鎖されている。ケーシング（６７１）の上部内に中空室（６７４）が形成されている。中空室（６７４）と浄水流通部（６７２）とは、これらを区画している水平仕切壁（６７５）にあけられた小さな連通孔（６７５Ａ）を介して、互いに連通している。中空室（６７４）には、下面に残留水収容用凹部（６７６Ａ）を有する弁体（６７６）が、上下方向摺動自在に収容されている。弁体（６７６）と蓋（６７３）との間には、弁体（６７６）を下付に付勢する圧縮バネ（６７７）が介在されている。
【００８７】
浄水を吐出させる場合、上記水栓（Ｆ７）は、図１９に示すような状態となる。即ち、水栓（Ｆ７）の原水流路開閉弁ユニット（６５０）および浄水流路開閉弁ユニット（６６０）それぞれの内部において、可動ディスク（６５４）（６６４）が、固定ディスク（６５３）（６６３）に対して、これらの通水孔（６５３Ａ）（６５４Ａ）（６６３Ａ）（６６４Ａ）どうしが合致した回動位置にあり、原水流路（５１０）および浄水流路（５２０）が開いている。これにより、原水が、上流側原水配管（Ｐ１）、水栓（Ｆ７）内の原水流路（５１０）および下流側原水配管（Ｐ２）を通じて、浄水器（Ｃ）に供給され、次いで、原水が浄水器本体を透過することによって生成された浄水が、浄水配管（Ｐ２）および水栓（Ｆ７）内の浄水流路（５２０）を流れて、吐水口から吐出される。
【００８８】
この状態では、減圧弁（６７）の浄水流通部（６７２）内における浄水の水圧がそれ程高くないため、中空室（６７４）内の弁体（６７６）は、バネ（６７７）によって水平仕切壁（６７５）に押し付けられている。
【００８９】
一方、止水する場合、水栓（Ｆ７）は、その初期段階において図２０に示すような状態となる。即ち、図１９の吐水状態からハンドル（６０９）を閉方向に９０°回すと、各開閉弁ユニット（６５０）（６６０）内において、可動ディスク（６５４）（６６４）が、固定ディスク（６５３）（６６３）に対して、これらの通水孔（６５３Ａ）（６５４Ａ）（６６３Ａ）（６６４Ａ）どうしが完全にずれた回動位置まで移動させられ、それにより、原水流路（５１０）と浄水流路（５２０）とが同時に閉じられる。原水流路（５１０）および浄水流路（５２０）の閉鎖に伴って、原水流路（５１０）の二次側に比較的高い残留水圧が生じると、減圧弁（６７）の浄水流通部（６７２）から連通孔（６７５Ａ）を通じて中空室（６７４）内の弁体（６７６）の凹部（６７６Ａ）に流れ込んだ浄水の水圧により、弁体（６７６）が、バネ（６７７）の弾性力に抗して上方に押し上げらる。そうすると、中空部（６７４）内における弁体（６７６）よりも下方部分の容積が大きくなって、吐水時よりも多くの量の浄水がここに流れ込み、それによって原水流路（５１０）の二次側における残留水圧が低下させられる。したがって、浄水器（Ｃ）の浄水器本体や配管接続部に過剰な残留水圧がかかることがない。
【００９０】
図２１および２２には、本発明の第８の実施形態が示されている。これは、本発明による第１の元止め式浄水器用水栓の他の実施形態を示したものである。この実施形態の水栓は、以下の点を除いて、図１５〜１８に示す第６の実施形態の水栓（Ｆ６）と同一の構造を有している。
【００９１】
即ち、この水栓にあっては、図２１（ａ）に示すように、回動軸に取り付けられた駆動歯車（６０８）と、原水流路開閉弁および浄水流路開閉弁のスピンドルに取り付けられた従動歯車（６５６）（６６６）とのギア比が、１：２となされている。したがって、回動軸を１８０°回転させると、両開閉弁のスピンドルが９０°回転することになる。また、図２１（ｂ）（ｃ）に示すように、原水流路開閉弁の可動ディスク（６５４）の通水孔（６５４Ａ）ならびに浄水流路開閉弁の固定ディスク（６６３）および可動ディスク（６６４）の通水孔（６６３Ａ）（６６４Ａ）は９０°の扇形となされているが、原水流路開閉弁の固定ディスク（６５３）の通水孔（６５３Ａ）だけが６０°の扇形となされている。
【００９２】
図示は省略したが、この水栓には、減圧弁が設けられていない。もっとも、図１５〜１８に示す水栓（Ｆ６）や図１９および２０に示す水栓（Ｆ７）と同様に、原水流路の二次側または浄水流路の一次側に減圧弁を設けることも可能である。
【００９３】
図２２は、この実施形態の水栓において、全開吐水状態から止水状態に至るまでの両開閉弁における固定ディスク（６５３）（６６３）に対する可動ディスク（６５４）（６６４）の回動位置を示したものである。図２２（ａ）に示すように、全開吐水状態では、両開閉弁において、固定ディスク（６５３）（６６３）の通水孔（６５３Ａ）（６６３Ａ）は、可動ディスク（６５４）（６６４）の通水孔（６５４Ａ）（６６４Ａ）と完全に重なっている。
【００９４】
この状態から、ハンドルを閉方向に回すと、両開閉弁における固定ディスク（６５３）（６６３）および可動ディスク（６５４）（６６４）の通水孔（６５４Ａ）（６６４Ａ）どうしの重なり合う面積が次第に小さくなる（図２２（ｂ）参照）。
【００９５】
ハンドルを全開位置から１２０°回した時点で、図２２（ｃ）に示すように、原水流路開閉弁の固定ディスク（６５３）および可動ディスク（６５４）の通水孔（６５３Ａ）（６５４Ａ）どうしが完全にずれた状態となり、これにより原水流路が先に閉じる。
【００９６】
そして、ハンドルを全開位置から１８０°回した時点で、浄水流路開閉弁の固定ディスク（６６３）および可動ディスク（６６４）の通水孔（６６３Ａ）（６６４Ａ）どうしが完全にずれた状態となり、これにより浄水流路が閉じる。
【００９７】
このように、上記の水栓によれば、ハンドルを閉操作すると、原水流路開閉弁が原水流路を閉じてから浄水流路開閉弁が浄水流路を閉じるまでにタイムラグが生じ、その間に残留水圧の過剰分を逃がすことができる。また、上記の水栓の場合、駆動歯車（６０８）と従動歯車（６５６）（６６６）とのギア比と、固定ディスク（６５３）（６６３）および可動ディスク（６５４）（６６４）の通水孔（６５３Ａ）（６６３Ａ）（６５４Ａ）（６６４Ａ）の大きさとによって、原水流路が閉じてから浄水流路が閉じるまでのタイミングを決めることができるので、水圧や浄水器の性能等に応じた調整が容易である。
【００９８】
図２３〜２５には、本発明の第９の実施形態が示されている。これは、本発明による第１の元止め式浄水器用水栓のもう一つの実施形態を示したものである。この実施形態の水栓は、以下の点を除いて、図１５〜１８に示す第６の実施形態の水栓（Ｆ６）と同一の構造を有している。
【００９９】
即ち、この水栓（Ｆ９）にあっては、図２３および２４に示すように、回動軸（６０７）が、回動軸本体（６０７Ａ）とその外周に嵌め被せられた筒状体（６０７Ｂ）とよりなる。回動軸本体（６０７Ａ）の内端には、浄水流路開閉弁ユニット（６６０）の従動歯車（６６６）と噛み合う第１駆動歯車（６０８Ａ）が取り付けられている。回動軸本体（６０７Ａ）の外端部は、ハンドル（６０９）内部の回動軸取付部（６０９Ａ）に設けられた有底状取付孔（６０９Ｂ）に挿入固定されている。筒状体（６０７Ｂ）の内端部に、原水流路開閉弁ユニット（６５０）の従動歯車（６５６）と噛み合う第２駆動歯車（６０８Ｂ）が取り付けられている。筒状体（６０７Ｂ）の外端部には、ハンドル（６０９）の回動軸取付部（６０９Ａ）と向かい合うドーナツ状のフランジ部材（６０７Ｃ）が嵌め止められている。図２４に示すように、フランジ部材（６０７Ｃ）の外面に、係合ピン（６０７Ｄ）の内端部が挿入される溝（６０７１）が形成されている。この溝（６０７１）は、フランジ部（６０７Ｃ）と同心状の円弧部と、円弧部の長さ中央部分から径方向外方に短く突出した突出部とを備えている。係合ピン（６０７Ｄ）は、鋏形のバネ（図示略）により、フランジ部（６０７Ｃ）の径方向外方に向かって付勢されている。この係合ピン（６０７Ｄ）は、溝（６０７１）の突出部と円弧部の長さ中央部分との間で、フランジ部材（６０７Ｃ）の径方向に移動することができる。ハンドル（６０９）内部の回動軸取付部（６０９Ａ）には、取付孔（６０９Ｂ）の周囲の一部を囲みかつ係合ピン（６０７Ｄ）の外端部が挿入されるピン案内溝（６０９Ｃ）が形成されている。ピン案内溝（６０９Ｃ）は、取付孔（６０９Ｂ）と同心状の円弧部と、円弧部の一端部分から径方向外方に短く突出した突出部とを備えている。
【０１００】
第１駆動歯車（６０８Ａ）と浄水流路開閉弁ユニット（６６０）の従動歯車（６６６）とのギア比は、１：２となされている。一方、第２駆動歯車（６０８Ｂ）と原水流路開閉弁ユニット（６５０）の従動歯車（６５６）とのギア比は、１：１となされている。つまり、浄水流路開閉弁ユニット（６５０）の可動ディスク（６６４）は、ハンドル（６０９）を１８０°回すことによって、全開位置から全閉位置まで９０°回動させられるのに対して、原水流路開閉弁ユニット（６５０）の可動ディスク（６５４）は、ハンドル（６０９）を９０°回すことによって、全開位置から全閉位置まで９０°回動させられる。
【０１０１】
図示は省略したが、この水栓（Ｆ９）にも減圧弁は設けられていない。もっとも、図１５〜１８に示す水栓（Ｆ６）や図１９および２０に示す水栓（Ｆ７）と同様に、原水流路の二次側または浄水流路の一次側に減圧弁を設けることも可能である。
【０１０２】
図２５は、この実施形態の水栓（Ｆ９）において、全開吐水状態から止水状態に至るまでのハンドル（６０９）の回動位置および両開閉弁ユニット（６５０）（６６０）の固定ディスク（６５３）（６６３）に対する可動ディスク（６５４）（６６４）の回動位置を示したものである。
【０１０３】
図２５（ａ）に示すように、全開吐水状態では、両開閉弁ユニット（６５０）（６６０）において、固定ディスク（６５３）（６６３）の通水孔（６５３Ａ）（６６３Ａ）は、可動ディスク（６５４）（６６４）の通水孔（６５４Ａ）（６６４Ａ）と完全に重なっている。また、係合ピン（６０７Ｄ）の内端部は、フランジ部材（６０７Ｃ）の溝（６０７１）の突出部に位置し、係合ピン（６０７Ｄ）の外端部は、ハンドル（６０９）のピン案内溝（６０９Ｃ）の突出部に位置している。
【０１０４】
この状態から、ハンドル（６０９）を閉方向に回すと、回動軸本体（６０７Ａ）が回動させられるとともに、筒状体（６０７Ｂ）が係合ピン（６０７Ｄ）を介して回動させられ、その結果、両開閉弁ユニット（６５０）（６６０）の可動ディスク（６５４）（６６４）が回動させられる。ハンドル（６０９）を９０°回した時点で、図２５（ｂ）に示すように、原水流路開閉弁ユニット（６５０）の固定ディスク（６５３）および可動ディスク（６５４）の通水孔（６５３Ａ）（６５４Ａ）どうしが完全にずれた状態となり、これにより原水流路（５１０）が先に閉じる。原水流路ユニット（６５０）の可動ディスク（６５４）は、同ユニット（６５０）に備えられた回動範囲規制手段（図示略）により、それ以上閉方向には回動しない。
【０１０５】
ここからハンドル（６０９）をさらに閉方向に回していくと、係合ピン（６０７Ｄ）の内端部がバネの弾性力に抗してフランジ部材（６０７Ｃ）の溝（６０７１）の突出部から円弧部の中央部分まで移動させられるとともに、係合ピン（６０７Ｄ）の外端部がハンドル（６０９）のピン案内溝（６０９Ｃ）の突出部から円弧部の一端部分まで移動させられる。外端部がピン案内溝（６０９Ｃ）の円弧部に挿入された係合ピン（６０７Ｄ）は、ハンドル（６０９）と共回りせず、ひいては筒状体（６０７Ｂ）も共回りしない。その結果、回動軸本体（６０７Ａ）のみが回動させられる。
【０１０６】
そして、ハンドル（６０９）を全開位置から１８０°回した時点で、浄水流路開閉弁ユニット（６６０）の固定ディスク（６６３）および可動ディスク（６６４）の通水孔（６６３Ａ）（６６４Ａ）どうしが完全にずれた状態となり、これにより浄水流路（５２０）が閉じる。
【０１０７】
このように、上記の水栓（Ｆ９）によれば、ハンドル（６０９）を閉操作すると、原水流路開閉弁（６５）が原水流路（５１０）を閉じてから浄水流路開閉弁（６６）が浄水流路（５２０）を閉じるまでにタイムラグが生じ、その間に残留水圧の過剰分を逃がすことができる。また、上記の水栓（Ｆ９）の場合、第１駆動歯車（６０８Ａ）および従動歯車（６６６）のギア比と第２駆動歯車（６０８Ｂ）および従動歯車（６６６）のギア比とを異ならせるとともに、第２駆動歯車（６０８Ｂ）側の空回り機構を設けることによって、原水流路（５１０）の閉鎖と浄水流路（５２０）の閉鎖との間にタイムラグを生じさせているので、原水流路開閉弁ユニット（６５０）および浄水流路開閉弁ユニット（６６０）を同一構造とすることができる。
【０１０８】
図２６〜２８には、本発明の第１０の実施形態が示されている。これは、本発明による第１の元止め式浄水器用水栓の更にもう一つの実施形態を示したものである。この実施形態の水栓（Ｆ１０）は、以下の点を除いて、図１５〜１８に示す第６の実施形態の水栓（Ｆ６）と同一の構造を有している。
【０１０９】
即ち、この水栓（Ｆ１０）にあっては、図２６および２７に示すように、回動軸（６０７）が、回動軸本体（６０７Ａ）とその外周に嵌め被せられた筒状体（６０７Ｂ）とよりなる。回動軸本体（６０７Ａ）の内端部には、浄水流路開閉弁ユニット（６６０）の従動歯車（６６６）と噛み合う第１駆動歯車（６０８Ａ）が設けられている。回動軸本体（６０７Ａ）の外端部は、ハンドル（６０９）内部の回動軸取付部（６０９Ａ）に設けられた有底状取付孔（６０９Ｂ）に挿入固定されている。筒状体（６０７Ｂ）の内端部に、原水流路開閉弁ユニット（６５０）の従動歯車（６５６）と噛み合う第２駆動歯車（６０８Ｂ）が設けられている。第２駆動歯車（６０８Ｂ）の内側面中心部に、断面円形の凹部が形成されている。そして、第１駆動歯車（６０８Ａ）の外側面周縁部と、第２駆動歯車（６０８Ｂ）の凹部底面周縁部とに、互いに噛み合うクラッチギア部（６０８１Ａ）（６０８１Ｂ）が形成されている。サイドカバー（４１６）の貫通孔（４１６Ａ）と筒状体（６０７Ｂ）の外端部との間に環状部材（４１７）が配されている。環状部材（４１７）はサイドカバー（４１６）に固定されている。環状部材（４１７）と第２駆動歯車（６０８Ｂ）との間に、筒状体（６０７Ａ）を内方に向かって付勢する圧縮バネ（４１８）が介在されている。
【０１１０】
第１駆動歯車（６０８Ａ）と浄水流路開閉弁ユニット（６６０）の従動歯車（６６６）とのギア比は、１：２となされている。一方、第２駆動歯車（６０８Ｂ）と原水流路開閉弁ユニット（６５０）の従動歯車（６５６）とのギア比は、１：１となされている。つまり、浄水流路開閉弁ユニット（６５０）の可動ディスク（６６４）は、ハンドル（６０９）を１８０°回すことによって、全開位置から全閉位置まで９０°回動させられるのに対して、原水流路開閉弁ユニット（６５０）の可動ディスク（６５４）は、ハンドル（６０９）を９０°回すことによって、全開位置から全閉位置まで９０°回動させられる。
【０１１１】
なお、この水栓（Ｆ１０）にも、減圧弁は設けられていないが、図１５〜１８に示す水栓（Ｆ６）や図１９および２０に示す水栓（Ｆ７）と同様に、原水流路の二次側または浄水流路の一次側に減圧弁を設けることも可能である。
【０１１２】
図２８は、この実施形態の水栓（Ｆ１０）において、全開吐水状態から止水状態に至るまでのハンドル（６０９）の回動位置および両開閉弁ユニット（６５０）（６６０）の固定ディスク（６５３）（６６３）に対する可動ディスク（６５４）（６６４）の回動位置を示したものである。
【０１１３】
図２８（ａ）に示すように、全開吐水状態では、両開閉弁ユニット（６５０）（６６０）において、固定ディスク（６５３）（６６３）の通水孔（６５３Ａ）（６６３Ａ）は、可動ディスク（６５４）（６６４）の通水孔（６５４Ａ）（６６４Ａ）と完全に重なっている。
【０１１４】
この状態から、ハンドル（６０９）を閉方向に回すと、クラッチギア部（６０８１Ａ）（６０８１Ｂ）どうしが噛み合って一体化された第１駆動歯車（６０８Ａ）および第２駆動歯車（６０８Ｂ）が回動させられ、その結果、両開閉弁ユニット（６５０）（６６０）の可動ディスク（６５４）（６６４）が回動させられる。ハンドル（６０９）を９０°回した時点で、図２８（ｂ）に示すように、原水流路開閉弁ユニット（６５０）の固定ディスク（６５３）および可動ディスク（６５４）の通水孔（６５３Ａ）（６５４Ａ）どうしが完全にずれた状態となり、これにより原水流路（５１０）が先に閉じる。原水流路ユニット（６５０）の可動ディスク（６５４）は、同ユニット（６５０）に備えられた回動範囲規制手段（図示略）により、それ以上閉方向には回動しない。
【０１１５】
ここからハンドル（６０９）をさらに閉方向に回していくと、第１駆動歯車（６０８Ａ）のクラッチギア部（６０８１Ａ）が第２駆動歯車（６０８Ｂ）のクラッチギア部（６０８１Ｂ）に対して滑り、第１駆動歯車（６０８Ａ）のみが回動させられる。ハンドル（６０９）を全開位置から１８０°回した時点で、浄水流路開閉弁ユニット（６６０）の固定ディスク（６６３）および可動ディスク（６６４）の通水孔（６６３Ａ）（６６４Ａ）どうしが完全にずれた状態となり、これにより浄水流路（５２０）が閉じる。
【０１１６】
このように、上記の水栓（Ｆ１０）によれば、ハンドル（６０９）を閉操作すると、原水流路開閉弁（６５）が原水流路（５１０）を閉じてから浄水流路開閉弁（６６）が浄水流路（５２０）を閉じるまでにタイムラグが生じ、その間に残留水圧の過剰分を逃がすことができる。また、この水栓（Ｆ１０）の場合、第１駆動歯車（６０８Ａ）および従動歯車（６６６）のギア比と第２駆動歯車（６０８Ｂ）および従動歯車（６６６）のギア比とを異ならせるとともに、第２駆動歯車（６０８Ｂ）側の空回り機構を設けることによって、原水流路（５１０）の閉鎖と浄水流路（５２０）の閉鎖との間にタイムラグを生じさせているので、原水流路開閉弁ユニット（６５０）および浄水流路開閉弁ユニット（６６０）を同一構造とすることができる。
【０１１７】
上記の各実施形態はあくまでも例示にすぎず、特許請求の範囲に記載された本発明の要旨を逸脱しない範囲で適宜に変更を加えた上で本発明を実施することも勿論可能である。
【図面の簡単な説明】
【図１】本発明の第１の実施形態を示すものであって、元止め式浄水器用水栓の吐水状態を示す要部垂直縦断面図である。
【図２】第１の実施形態の水栓の止水時の初期段階を示す要部垂直縦断面図である。
【図３】第１の実施形態の水栓の止水状態を示す要部垂直縦断面図である。
【図４】本発明の第２の実施形態を示すものであって、元止め式浄水器用水栓の吐水状態を示す要部垂直縦断面図である。
【図５】第２の実施形態の水栓の止水時の初期段階を示す要部垂直縦断面図である。
【図６】第２の実施形態の水栓の止水状態を示す要部垂直縦断面図である。
【図７】本発明の第３の実施形態を示すものであって、元止め式浄水器用水栓の吐水状態を示す要部垂直縦断面図である。
【図８】第３の実施形態の水栓の止水状態を示す要部垂直縦断面図である。
【図９】本発明の第４の実施形態を示すものであって、元止め式浄水器用水栓の吐水状態を示す要部垂直縦断面図である。
【図１０】第４の実施形態の水栓の止水時の初期段階を示す要部垂直縦断面図である。
【図１１】第４の実施形態の水栓の止水状態を示す要部垂直縦断面図である。
【図１２】本発明の第５の実施形態を示すものであって、元止め式浄水器用水栓の吐水状態を示す要部垂直縦断面図である。
【図１３】第５の実施形態の水栓の止水時の初期段階を示す要部垂直縦断面図である。
【図１４】第５の実施形態の水栓の止水状態を示す要部垂直縦断面図である。
【図１５】本発明の第６の実施形態を示すものであって、元止め式浄水器用水栓の吐水状態を示す要部垂直縦断面図である。
【図１６】第６の実施形態の水栓の止水時の初期段階を示す要部垂直縦断面図である。
【図１７】第６の実施形態の水栓の要部を拡大して示す垂直縦断面図である。
【図１８】第６の実施形態の水栓の一部を切り欠いて示す斜視図である。
【図１９】本発明の第７の実施形態を示すものであって、元止め式浄水器用水栓の吐水状態を示す要部垂直縦断面図である。
【図２０】第７の実施形態の水栓の止水時の初期段階を示す要部垂直縦断面図である。
【図２１】本発明の第８の実施形態を示すものであって、（ａ）は、駆動歯車および従動歯車の平面図、（ｂ）は、原水流路開閉弁の可動ディスクおよび固定ディスクの斜視図、（ｃ）は、浄水流路開閉弁の可動ディスクおよび固定ディスクの斜視図である。
【図２２】第８の実施形態の水栓において、全開吐水状態から止水状態に至るまでの両開閉弁の固定ディスクに対する可動ディスクの回動位置を順次示す側面図である。
【図２３】本発明の第９の実施形態を示すものであって、元止め式浄水器用水栓の止水状態を示す要部垂直縦断面図である。
【図２４】第９の実施形態の水栓の一部を切り欠いて示す斜視図である。
【図２５】第９の実施形態の水栓において、全開吐水状態から止水状態に至るまでのハンドルの回動位置および両開閉弁の固定ディスクに対する可動ディスクの回動位置を順次示す側面図である。
【図２６】本発明の第１０の実施形態を示すものであって、元止め式浄水器用水栓の止水状態を示す要部垂直縦断面図である。
【図２７】第１０の実施形態の水栓の回動軸を分解して示す斜視図である。
【図２８】第１０の実施形態の水栓において、全開吐水状態から止水状態に至るまでのハンドルの回動位置および両開閉弁の固定ディスクに対する可動ディスクの回動位置を順次示す側面図である。
【図２９】従来の元止め式浄水器水栓の概略を示す図である。
【符号の説明】
（Ｃ）：浄水器
（Ｐ１）：原水配管
（Ｐ２）：浄水配管
（Ｆ１）（Ｆ２）（Ｆ３）（Ｆ４）（Ｆ５）（Ｆ６）（Ｆ７）（Ｆ９）（Ｆ１０）：元止め式浄水器用水栓
（２１）（５１）（５１０）（８１）：原水流路
（２２）（５２）（５２０）（８２）：浄水流路
（３１）（６１）（６５）（９１）：原水流路開閉弁
（６５５）：スピンドル（弁体駆動軸）
（６５６）：従動歯車
（３２）（６２）（６６）：浄水流路開閉弁
（６６５）：スピンドル（弁体駆動軸）
（６６６）：従動歯車
（６０７）：回動軸
（６０８）：駆動歯車
（６０８Ａ）：第１駆動歯車
（６０８Ｂ）：第２駆動歯車
（３０２）（６０２）（６０９）（９１２）：開閉操作部材（ハンドル）
（６０５）：圧力逃がし機構（圧縮バネ）
（６３）（６７）：減圧弁
（９２）：浄水流路遮断弁
（９３）：圧力逃がし弁
【図１】
2004076557.tif 000003
【図２】
2004076557.tif 000004
【図３】
2004076557.tif 000005
【図４】
2004076557.tif 000006
【図５】
2004076557.tif 000007
【図６】
2004076557.tif 000008
【図７】
2004076557.tif 000009
【図８】
2004076557.tif 000010
【図９】
2004076557.tif 000011
【図１０】
2004076557.tif 000012
【図１１】
2004076557.tif 000013
【図１２】
2004076557.tif 000014
【図１３】
2004076557.tif 000015
【図１４】
2004076557.tif 000016
【図１５】
2004076557.tif 000017
【図１６】
2004076557.tif 000018
【図１７】
2004076557.tif 000019
【図１８】
2004076557.tif 000020
【図１９】
2004076557.tif 000021
【図２０】
2004076557.tif 000022
【図２１】
2004076557.tif 000023
【図２２】
2004076557.tif 000024
【図２３】
2004076557.tif 000025
【図２４】
2004076557.tif 000026
【図２５】
2004076557.tif 000027
【図２６】
2004076557.tif 000028
【図２７】
2004076557.tif 000029
【図２８】
2004076557.tif 000030
【図２９】
2004076557.tif 000031